(57)【要約】【課題】  電池パックが過放電などであっても模倣を抑制すること。【解決手段】  電子機器２は、電池パック１の着脱検出を温度検出部１３で行い、電池パック１と電源線を介して電気的に接続する際に、電池パックから出力電圧がないときは、電池パックの初期充電を行い、設定されている電池パック１固有の信号と一致するとき電池パック１側から供給される電力を基に電源３を起動する。【選択図】  図１
2007104745.tif 000002
【特許請求の範囲】
【請求項１】
電力供給源となる電池パックを着脱可能に構築した移動体通信端末装置であって、
前記移動体通信端末装置は、
前記電池パックの着脱検出を温度検出端子で行い、前記電池パックと電源線を介して電気的に接続する際に、前記電池パックから出力電圧がないときは、前記電池パックの初期充電を行い、該電源線を介して前記電池パックから入力される前記電池パック固有の電池信号を基に、該電池信号が、前記移動体通信端末装置側に設定されている電池パック固有の信号と、一致するか否かを判断し、一致すると判断した場合に、前記電池パック側から供給される電力を基に主電源を起動する手段を有することを特徴とする移動体通信端末装置。
【請求項２】
各々の電池パック固有の情報を蓄積し、電力線を介して照合することを特徴とする請求項１記載の移動体通信端末装置。
【請求項３】
電池パックの充電電圧レベルに従い各々の電池パック固有の情報を、電力線を介して照合することを特徴とする請求項１または２記載の移動体通信端末装置。
【請求項４】
通信端末装置の電力供給源となる電池パックであって、
前記電池パックは前記通信端末装置と着脱可能に構築されており、
前記電池パックは、
前記通信端末装置への着脱検出を温度検出端子で行われ、前記通信端末装置と電源線を介して電気的に接続する際に、出力電圧がないときは、初期充電が行われ、前記通信端末装置と電源線を介して電気的に接続し、前記通信端末装置において生成された任意の信号が前記電源線を介して入力された際に、該入力された任意の信号と、前記電池パック固有の識別信号と、を合成して前記電池パック固有の電池信号を生成し、該生成した電池信号を前記通信端末装置に前記電源線を介して出力する手段を有することを特徴とする電池パック。
【請求項５】
各々の電池パック固有の情報を蓄積している前記通信端末装置から電力線を介して照合されることを特徴とする請求項４記載の電池パック。
【請求項６】
電池パックの充電電圧レベルに従い各々の電池パック固有の情報を、前記通信端末装置から電力線を介して照合されることを特徴とする請求項４または５記載の電池パック。
【発明の詳細な説明】
【技術分野】
【０００１】
本発明は、移動体通信端末装置に搭載される電池パックが正規の電池パックか否かを識別する技術に関する。
【背景技術】
【０００２】
一般的に、携帯電話機などの移動体通信端末装置は、装置本体に電力を供給する電池パックが装置本体から着脱可能となるように構成されている。これにより、電池パックが劣化した際には、電池パックを交換することで、手持ちの通信端末装置を継続的に利用することが可能となる。
【０００３】
このため、市場に売られている通信端末装置に適合させて電池パックを複製し、その複製した電池パックが乾電池のように市場に流通しているのが現状である。なお、携帯電話機等の移動体通信端末装置に使用されている電池パックは、いわゆるリチウムイオンバッテリーが一般的に使用されている。このリチウムイオンバッテリーは、エネルギー密度が乾電池に比べ高いため、安全性を十分考慮した設計と製造とを電池パックメーカが行っている。
【０００４】
なお、従来から電池パックを許可なく製造する業者が後を絶たず、このような業者により製造された電池パックは、コストの低減を追求するばかり、複製の電池パックの中には粗悪品も含まれることになり、移動体通信端末装置の使用中や充電中に高温発熱や爆発を起こす可能性のある電池パックも流通しているのが現状である。
【０００５】
従来の電池パックを図４に、模倣抑制するための電池パックを図５および図６を参照して説明する。
【０００６】
図４において、電池パック１は電池１１、電池１１を保護するための電池保護制御部１２、温度情報を送信するための温度検出部１３、電子機器２と電気的接続のための入出力端子として＋端子１４１、Ｔ端子１４２、−端子１４３で構成している。
【０００７】
電子機器２は電池パック１と電気的接続のための入出力端子として＋端子２４３、Ｔ端子２４４、−端子２４５と電源３と電気的接続のための入出力端子として＋端子２４１、−端子２４２、電池パック１の充電制御するための充電制御部２２とスイッチ素子２１、電子機器２を構成するためのその他構成回路部２３で構成されている。
【０００８】
図５において、電池パック１は電池１１、電池１１を保護するための電池保護制御部１２、情報を蓄積、通信するためのマイコン１５、温度情報を送信するための温度検出部１４、電子機器２と電気的接続のための入出力端子として＋端子１４１、Ｓ端子１４４、Ｔ端子１４２、−端子１４３で構成している。
【０００９】
電子機器２は、電池パック１と電気的接続のための入出力端子として＋端子２４３、Ｓ端子２４６、Ｔ端子２４４、−端子２４５と電源３と電気的接続のための入出力端子として＋端子２４１、−端子２４２、電池パック１の充電制御、認証するためのマイコン２５とスイッチ素子２１、電子機器２を構成するためのその他構成回路部２３で構成されている。
【００１０】
図６において、電池パック１が電子機器２に装着されると（Ｓ１０２）、電子機器２のマイコン２５から電池パック１にデータ要求コマンド（Ｓ１０３）を送信する。電池パック１はデータ要求コマンド（Ｓ１０４）を受信し、マイコン１５の記憶部１５３のデータ（Ｓ１０５）を送信する。マイコン２５で受信したデータ（Ｓ１０６）を記憶部２５４と照合し、電池パック１の認定（Ｓ１０７）する。
【００１１】
電池パック１が該当すれば、電池パック該当コマンドをその他構成回路部２３に含まれるＣＰＵに送信し（Ｓ１０８）、マイコン２５は電池パック充電許可コマンドを受信し（Ｓ１０９）、電池パック１の充電を開始する（Ｓ１１０）。
【００１２】
電池パック１が非該当であれば、電池パック非該当コマンドをその他構成回路部２３に含まれるＣＰＵに送信し（Ｓ１１２）、マイコン２５は電池パック充電不可コマンドを受信し（Ｓ１１３）、その他構成回路部２３に含まれる表示部にて電池パック非該当を表示（Ｓ１１４）する。
【００１３】
ここで、電話機本体のコード発生部及びコード長決定部にて、データ長およびその内容がランダムな符号列が生成され、この生成された符号列に基づき電話機本体のＩＤ生成部およびバッテリパックのＩＤ生成部では、同一の演算処理にてＩＤ符号を生成し、電話機本体は、電話機本体のＩＤ生成部及びバッテリパックのＩＤ生成部で生成されたＩＤ符号が等しい場合には、バッテリパックが正規のものであると識別する技術が提案されている（例えば、特許文献１参照）。
【００１４】
また、通信制御用ＣＰＵと、通信制御ＣＰＵにより制御され、電源線通信処理を行う電源線通信部を備えた通信処理制御回路において、電源入力端子と電源回路の間に２個のインダクタを直列に接続し、送信端子、受信端子と電源回路との間にトランスを接続し、トランスと電源回路との間に、２個のコンデンサを直列に、１個の抵抗を並列に接続したフィルタを設けることで、交流電源と直流電源の両方に共用でき、低耐圧のトランスを使用することができる通信処理制御回路提案されている（例えば、特許文献２参照）。
【特許文献１】特開２００３−１６２９８６号公報
【特許文献２】特開２００５−１５９９２１号公報
【発明の開示】
【発明が解決しようとする課題】
【００１５】
しかしながら、上述した従来例においては次のような問題点があった。
【００１６】
模倣抑制機能を有しない電池パックに対し、模倣抑制機能を有する電池パックの電池端子数が増加し、端子数で模倣抑制機能の有無が判別できた。
【００１７】
また、データ送受信の端子を単独固有に有しているため、データ送受信の端子が簡単に判別できた。
【００１８】
さらに、長期保存などにより、過放電された電池パックが装着された場合、着脱検出することが困難な場合があった。
【００１９】
本発明は、以上説明した事情に鑑みてなされたものであり、その目的は、電池パックが過放電などであっても模倣を抑制することである。
【課題を解決するための手段】
【００２０】
上記課題を解決するために、本発明は、電力供給源となる電池パックを着脱可能に構築した移動体通信端末装置であって、移動体通信端末装置は、電池パックの着脱検出を温度検出端子で行い、電池パックと電源線を介して電気的に接続する際に、電池パックから出力電圧がないときは、電池パックの初期充電を行い、該電源線を介して電池パックから入力される電池パック固有の電池信号を基に、該電池信号が、移動体通信端末装置側に設定されている電池パック固有の信号と、一致するか否かを判断し、一致すると判断した場合に、電池パック側から供給される電力を基に主電源を起動する手段を有する移動体通信端末装置を提供する。
【００２１】
また、本発明は、通信端末装置の電力供給源となる電池パックであって、電池パックは通信端末装置と着脱可能に構築されており、電池パックは、通信端末装置への着脱検出を温度検出端子で行われ、通信端末装置と電源線を介して電気的に接続する際に、出力電圧がないときは、初期充電が行われ、通信端末装置と電源線を介して電気的に接続し、通信端末装置において生成された任意の信号が電源線を介して入力された際に、該入力された任意の信号と、電池パック固有の識別信号と、を合成して電池パック固有の電池信号を生成し、該生成した電池信号を通信端末装置に電源線を介して出力する手段を有する電池パックを提供する。
【発明の効果】
【００２２】
本発明によれば、電池パックが過放電などであっても模倣を抑制することができる。
【発明を実施するための最良の形態】
【００２３】
以下、本発明の第１の実施の形態について図面を参照して詳細に説明する。
【００２４】
図１を参照すると、本実施の形態における模倣を抑制する電池パック１の構成が示されている。
【００２５】
同図において、電池パック１は電池１１、電池１１を保護するための電池保護制御部１２、情報を蓄積、通信するためのマイコン１７、電源ラインのノイズを抑制するフィルタ部１６、温度情報を送信するための温度検出部１３、電子機器２と電気的接続のための入出力端子として＋端子１４１、Ｔ端子１４２、−端子１４３で構成されている。
【００２６】
電子機器２は、電池パック１と電気的接続のための入出力端子として＋端子２４３、Ｔ端子２４４、−端子２４５と電源３と電気的接続のための入出力端子として＋端子２４１、−端子２４２、電池パック１の電圧検出、充電制御、認証するためのマイコン２６とスイッチ素子２１、電源ラインのノイズを抑制するフィルタ部１５２、電子機器２を構成するためのその他構成回路部２３で構成されており、電池パック１の認証処理は電池パック１の出力電圧を検出することにより、＋端子１４１と電子機器２の＋端子２４１の電力線を介し電圧波形としてデータが送受信可否を判断し送受信されている。
【００２７】
なお、図１に示すその他回路構成部２３は、当業者にとってよく知られているので、その詳細な構成の説明は省略する。
【００２８】
次に、図１の電池パック認証の動作を図２に示すタイムチャートを参照して詳細に説明する。
【００２９】
図２において、電池パック１が電子機器２に装着されると（Ｓ２０２）、電子機器２のマイコン２６の充電制御部２６１で電池パック１の出力電圧を検出する（Ｓ２０３）。
【００３０】
検出電圧Ｖｏが電池パック１の過放電電圧ＶB0より小さい時、数ｍＡ程度の小さい電流で初期充電し（Ｓ２０４）、電池パック１の過放電電圧ＶB0より大きくなるまで充電する。
【００３１】
そして、電子機器２のマイコン２６の通信制御部２６３からマイコン２６のパルス制御部２６４とその他回路構成部２３へパルス出力コマンドを送信する（Ｓ２０５）。
【００３２】
パルス制御部２６４は、電圧波形をマイコン２６の信号送受信部２６２から＋端子２４３、１４１を介し、電池パック１のマイコン１７に送信する（Ｓ２０７）。
【００３３】
電圧波形はマイコン１７の信号送受信部１７１で受信し（Ｓ２０８）、通信制御部１７２からパルス制御部１７３へパルス出力コマンドを送信する（Ｓ２０９）。
【００３４】
パルス制御部１７３は、電圧波形を信号送受信部１７１から＋端子１４１，２４３を介し電子機器２のマイコン２６に送信する（Ｓ２１０）。
【００３５】
電圧波形は信号送受信部２６２で受信し（Ｓ２１１）、通信制御部２６３からパルス受信データをその他回路構成部２３へ送信する（Ｓ２１２）。
【００３６】
その他回路構成部２３は、通信制御部２６３からのパルス出力コマンド受信（Ｓ２１３）から生成したデータ（Ｓ２１４）とパルス受信データを比較認証し（Ｓ２１５）、認証ＯＫの場合、電池パック該当コマンドを通信制御部２６３に送信し（Ｓ２１６）、充電制御部２６１は電池パック該当コマンドを受信し（Ｓ２１７）、充電制御部２６１は電池パック１の充電を開始する（Ｓ２１８）。
【００３７】
認証ＮＧの場合、電池パック非該当コマンドをその他回路構成部２３に送受信し（Ｓ２２０、Ｓ２２１）、その他回路構成部２３は非該当表示（Ｓ２２２）を行う。
【００３８】
同様に電圧波形を信号送受信部２６２で未受信の場合（Ｓ２１１'）、認証ＮＧの場合と同処理を行う。
【００３９】
上記の実施の形態によれば、電池パックの移動体通信端末装置本体への着脱検出を電池パックの出力電圧で行っており、長期保存などにより過放電された電池パックが装着された場合であっても、出力電圧がないため着脱検出ができないことを回避して、正規の電池パックが過放電などの状況であっても、模倣品と判定されることを防止することができる。
【００４０】
また、電池パック電圧を検出することにより保護機能作動中のデータ送受信によるデータ漏洩を防止することができる。
【００４１】
また、電池パックの電池端子数による模倣抑制機能有無の判別が困難となり、また、データ送受信の端子を電力線を介し行うため、送受信データの判別が困難となる。
【００４２】
また、電池パックの充電電圧レベルに対して異なる各データを送受信し、データ判別が困難となる。
【００４３】
次に、本発明の第２の実施の形態について説明する。その基本的構成は、図１に示す上記の第１の実施の形態と同様であるが、電池パック１の充電電圧検出処理についてさらに工夫がなされている。その検出処理を図３に示す。
【００４４】
本図において、電池パック１の充電電圧検出をＮ段階行い（Ｓ３１９）、各段階においてそれぞれ個別のコマンド、パルスの送受信、データ生成（Ｓ３０５〜Ｓ３１４）を行い、模倣抑制を向上させる。
【００４５】
図３において、電池パック１のマイコン１７に記憶制御部１７４と記憶部１７５、電子機器２のマイコン２６にも同様に記憶制御部２６５と記憶部２６６を追加し、認証データの電圧波形のパルス数およびパターンを複数個記憶、制御することで模倣抑制を向上させる。
【００４６】
なお、上述する各実施の形態は、本発明の好適な実施の形態であり、本発明の要旨を逸脱しない範囲内において種々変更実施が可能である。例えば、上記の実施の形態における移動体通信端末装置の機能を実現するためのプログラムを当該装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００４７】
さらに、本発明は、あるサービスの結果を他のサービスが利用する場合や、複数のサービスの結果を用いて一つのサービスとなるような場合に適用すると効果的である、例えば、旅行予約サービスや通信販売サービス、電子申請サービス、引越しサービス、教育サービス、セキュリティサービス、地域サービス、金融サービス、コンテンツサービスなどの用途に適用できる。また、ＩＳＰで提供されている既存サービスへも適用可能である。
【図面の簡単な説明】
【００４８】
【図１】本発明の第１の実施形態における電池パックの構成図である。
【図２】本発明の第１の実施形態における処理動作を示すタイミングチャートである。
【図３】本発明の第２の実施形態における処理動作を示すタイミングチャートである。
【図４】従来の電池パックの構成図である。
【図５】従来の処理動作を示すタイミングチャートである。
【図６】従来の処理動作を示すタイミングチャートである。
【符号の説明】
【００４９】
１    電池パック
２    電子機器
３    電源
１１    電池
１２    電池保護制御部
１３    温度検出部
１６    フィルタ部
１７    マイコン
２１    スイッチ素子
２３    その他構成回路部
２６    マイコン
１４１、２４１、２４３    ＋端子
１４２、２４４    Ｔ端子
１４３、２４２、２４５    −端子
１５２    フィルタ部
【図１】
2007104745.tif 000003
【図２】
2007104745.tif 000004
【図３】
2007104745.tif 000005
【図４】
2007104745.tif 000006
【図５】
2007104745.tif 000007
【図６】
2007104745.tif 000008